(57)【要約】【課題】  データ再生装置において、ユーザが所望する場合にのみ、映像データの再生に関与する機器の消費電力を抑えることを可能にする。【解決手段】  記録メディア再生装置１における、ＤＶＤ再生装置２またはＨＤ装置３を利用したコンテンツデータの再生の際に、リモコン１１において再生キーが５秒連続して操作されるという再生時には通常なされないとされる特別な操作がなされると、再生中のファイルが画像出力の無いファイルである場合には、制御部１０は、モニタ装置１２に対して、画像表示の輝度を低下させる制御を実行する。【選択図】        図１
2006005562.tif 000002
【特許請求の範囲】
【請求項１】
記録媒体に記録されたデータに基づいた画像および音声を再生するためのデータ再生装置であって、
外部から情報を入力するための入力手段と、
前記記録媒体に記録されたデータの中から、再生するデータを選択するデータ選択手段と、
前記データ選択手段に選択されたデータの拡張子に基づいて、前記データ選択手段に選択されたデータが、画像データを含まないデータであるか否かを判断する判断手段と、
前記データ選択手段に選択されたデータに基づいた画像を再生する再生手段と、
前記再生手段に対して画像を再生する際の輝度を制御可能な制御手段とを備え、
前記制御手段は、前記入力手段に対して所定の情報が入力された場合であって、前記判断手段によって前記データ選択手段の選択したデータが画像データを含まないデータであると判断された場合には、前記再生手段に対して、前記判断手段によって前記データ選択手段の選択したデータが画像データを含むデータであると判断された場合よりも、画像を再生する際の輝度を低下させる制御を実行し、
前記判断手段は、前記入力手段に対して所定の情報が入力された時点で、前記データ選択手段の選択したデータが画像データを含まないデータであるか否かを判断し、
前記制御手段は、前記入力手段に対して所定の情報の入力がなされた回数に応じて、段階的に、前記再生手段に対して、画像を再生する際の輝度を低下させる制御を実行する、データ再生装置。
【請求項２】
記録媒体に記録されたデータに基づいた画像および音声を再生するためのデータ再生装置であって、
外部から情報を入力するための入力手段と、
前記記録媒体に記録されたデータの中から、再生するデータを選択するデータ選択手段と、
前記データ選択手段に選択されたデータの拡張子に基づいて、前記データ選択手段に選択されたデータが、画像データを含まないデータであるか否かを判断する判断手段と、
前記データ選択手段に選択されたデータに基づいた画像を再生する再生手段と、
前記再生手段に対して画像を再生する際の輝度を制御可能な制御手段と、
前記入力手段に前記所定の情報が入力されたか否かに関する情報と、前記再生手段において画像を再生する際の輝度を低下させる程度についての情報である程度情報とを記憶可能な記憶手段とを備え、
前記判断手段は、前記データ選択手段が再生するデータを選択したことに応じて、前記データ選択手段の選択したデータが画像データを含まないデータであるか否かを判断し、
前記制御手段は、前記入力手段に対して所定の情報が入力された場合であって、前記判断手段によって前記データ選択手段の選択したデータが画像データを含まないデータであると判断された場合には、前記再生手段に対して、前記判断手段によって前記データ選択手段の選択したデータが画像データを含むデータであると判断された場合よりも、画像を再生する際の輝度を前記程度情報に基づいた程度だけ低下させる、データ再生装置。
【請求項３】
記録媒体に記録されたデータに基づいた画像および音声を再生するためのデータ再生装置であって、
外部から情報を入力するための入力手段と、
前記記録媒体に記録されたデータの中から、再生するデータを選択するデータ選択手段と、
前記データ選択手段に選択されたデータの拡張子に基づいて、前記データ選択手段に選択されたデータが、画像データを含まないデータであるか否かを判断する判断手段と、
前記データ選択手段に選択されたデータに基づいた画像を再生する再生手段と、
前記再生手段に対して画像を再生するための制御が可能な制御手段とを備え、
前記制御手段は、前記入力手段に対して所定の情報が入力された場合であって、前記判断手段によって前記データ選択手段の選択したデータが画像データを含まないデータであると判断された場合には、前記再生手段に対して、画像の再生を停止させる制御を実行する、データ再生装置。
【請求項４】
記録媒体に記録されたデータに基づいた画像および音声を再生するためのデータ再生装置であって、
外部から情報を入力するための入力手段と、
前記記録媒体に記録されたデータの中から、再生するデータを選択するデータ選択手段と、
前記データ選択手段に選択されたデータが、画像データを含まないデータであるか否かを判断する判断手段と、
前記データ選択手段に選択されたデータに基づいた画像を再生する装置に対して画像を再生する際の輝度を制御可能な制御手段とを備え、
前記制御手段は、前記入力手段に対して所定の情報が入力された場合であって、前記判断手段によって前記データ選択手段の選択したデータが画像データを含まないデータであると判断された場合には、前記画像を再生する装置に対して、前記判断手段によって前記データ選択手段の選択したデータが画像データを含むデータであると判断された場合よりも、画像を再生する際の輝度を低下させる制御を実行する、データ再生装置。
【請求項５】
前記判断手段は、前記データ選択手段に選択されたデータの拡張子に基づいて、画像を含まないデータであるか否かを判断する、請求項４に記載のデータ再生装置。
【請求項６】
前記画像を再生する装置をさらに備える、請求項４または請求項５に記載のデータ再生装置。
【請求項７】
前記判断手段は、前記入力手段に対して所定の情報が入力された時点で、前記データ選択手段の選択したデータが画像データを含まないデータであるか否かを判断する、請求項４〜請求項６のいずれかに記載のデータ再生装置。
【請求項８】
前記制御手段は、前記入力手段に対して所定の情報の入力がなされた回数に応じて、段階的に、前記画像を再生する装置に対して、画像を再生する際の輝度を低下させる制御を実行する、請求項７に記載のデータ再生装置。
【請求項９】
前記入力手段に前記所定の情報が入力されたか否かに関する情報を記憶可能な記憶手段をさらに備え、
前記判断手段は、前記データ選択手段が再生するデータを選択したことに応じて、前記データ選択手段の選択したデータが画像データを含まないデータであるか否かを判断し、
前記制御手段は、前記判断手段が前記データ選択手段の選択したデータを画像データを含まないデータであると判断した場合、前記記憶手段に記憶された情報を参照することにより、前記画像を再生する装置に対して画像を再生する際の輝度を低下させるか否かを決定する、請求項４〜請求項６のいずれかに記載のデータ再生装置。
【請求項１０】
前記記憶手段は、前記入力手段に前記所定の情報が入力されたという情報と、前記画像を再生する装置において画像を再生する際の輝度を低下させる程度についての情報である程度情報とを記憶し、
前記制御手段は、前記判断手段が前記データ選択手段の選択したデータを画像データを含まないデータであると判断した場合、前記画像を再生する装置に対して画像を再生する際の輝度を前記程度情報に基づいた程度だけ低下させる、請求項９に記載のデータ再生装置。
【請求項１１】
記録媒体に記録されたデータに基づいた画像および音声を再生するためのデータ再生装置であって、
外部から情報を入力するための入力手段と、
前記記録媒体に記録されたデータの中から、再生するデータを選択するデータ選択手段と、
前記データ選択手段に選択されたデータが、画像データを含まないデータであるか否かを判断する判断手段と、
前記データ選択手段に選択されたデータに基づいた画像を再生する装置に対して画像を再生するための制御が可能な制御手段とを備え、
前記制御手段は、前記入力手段に対して所定の情報が入力された場合であって、前記判断手段によって前記データ選択手段の選択したデータが画像データを含まないデータであると判断された場合には、前記画像を再生する装置に対して、画像の再生を停止させる制御を実行する、データ再生装置。
【請求項１２】
前記判断手段は、前記データ選択手段に選択されたデータの拡張子に基づいて、画像を含まないデータであるか否かを判断する、請求項１１に記載のデータ再生装置。
【請求項１３】
前記画像を再生する装置をさらに備える、請求項１１または請求項１２に記載のデータ再生装置。
【請求項１４】
記録媒体に記録されたデータに基づいた画像および音声を再生するためのデータ再生装置の制御方法であって、
外部から情報を入力するステップと、
前記記録媒体に記録されたデータの中から、再生するデータを選択するステップと、
前記再生するデータとして選択されたデータが、画像データを含まないデータであるか否かを判断するステップと、
外部から所定の情報が入力された場合であって、前記再生するデータとして選択されたデータが画像データを含まないデータであると判断された場合には、画像を再生する装置に対して、前記再生するデータとして選択されたデータが画像データを含むデータであると判断された場合よりも、画像を再生する際の輝度を低下させる制御を実行するステップとを備える、データ再生装置の制御方法。
【請求項１５】
記録媒体に記録されたデータに基づいた画像および音声を再生するためのデータ再生装置の制御方法であって、
外部から情報を入力するステップと、
前記記録媒体に記録されたデータの中から、再生するデータを選択するステップと、
前記再生するデータとして選択されたデータが、画像データを含まないデータであるか否かを判断するステップと、
外部から所定の情報が入力された場合であって、前記再生するデータとして選択されたデータが画像データを含まないデータであると判断された場合には、画像を再生する装置に対して、画像の再生を停止させる制御を実行するステップとを備える、データ再生装置の制御方法。
【発明の詳細な説明】
【技術分野】
【０００１】
本発明は、データ再生装置に関し、特に、画像データおよび／または音声データを含むデータの再生が可能なデータ再生装置およびその制御方法に関する。
【背景技術】
【０００２】
従来、データ再生装置に関して、映像データが記録された記録媒体に対応した再生動作を行なう際のモニタの焼付けを防止するために、たとえば特許文献１に記載されるように、ある映像データにかかる映像の表示出力が所定時間以上継続したことが検出された場合に、その映像データにかかる出力映像信号について輝度レベルを低下させる技術が開示されている。
【０００３】
また、このような、データ再生装置において、モニタがユーザが重要視しないと考えられる映像を出力している場合に、モニタに送信する信号を工夫を凝らす技術としては、他に、特許文献２に記載されるような、ＤＶＤ（Digital Versatile Disk）およびＣＤ（Compact Disc）を再生可能なＤＶＤ一体型テレビジョン受像機において、ＣＤ再生状態が予め設定した時間以上続いた場合、画面の映像調整値を下げる技術が開示されていた。
【特許文献１】特開平８−３２２０１７号公報
【特許文献２】特開平１１−４３９０号公報
【発明の開示】
【発明が解決しようとする課題】
【０００４】
なお、上記のような従来のデータ再生装置において、音楽ＣＤを再生しているような場合でも、つまり、出力される映像データが一般にはユーザが重要視しないと考えられるものであっても、ユーザが、意図的に（たとえばインテリアとして）当該静止画を表示させる場合も考えられる。しかしながら、このような場合であっても、上記のような従来の技術では、一方的に、一定の時間が経過すると、映像データの出力映像信号の輝度レベルを低下されたり、映像調整値が下げられたりしてしまう。
【０００５】
その一方で、上記したような従来のデータ再生装置では、モニタの焼付けを回避できるとともに、モニタ等の再生に関与する機器の消費電力を抑えることが可能となるという利点もある。
【０００６】
本発明は、かかる実情に鑑み考え出されたものであり、その目的は、ユーザが所望する場合に、映像データの再生に関与する機器の消費電力を抑えることが可能な、データ再生装置およびその制御方法を提供することである。
【課題を解決するための手段】
【０００７】
本発明のある局面に従ったデータ再生装置は、記録媒体に記録されたデータに基づいた画像および音声を再生するためのデータ再生装置であって、外部から情報を入力するための入力手段と、前記記録媒体に記録されたデータの中から、再生するデータを選択するデータ選択手段と、前記データ選択手段に選択されたデータの拡張子に基づいて、前記データ選択手段に選択されたデータが、画像データを含まないデータであるか否かを判断する判断手段と、前記データ選択手段に選択されたデータに基づいた画像を再生する再生手段と、前記再生手段に対して画像を再生する際の輝度を制御可能な制御手段とを備え、前記制御手段は、前記入力手段に対して所定の情報が入力された場合であって、前記判断手段によって前記データ選択手段の選択したデータが画像データを含まないデータであると判断された場合には、前記再生手段に対して、前記判断手段によって前記データ選択手段の選択したデータが画像データを含むデータであると判断された場合よりも、画像を再生する際の輝度を低下させる制御を実行し、前記判断手段は、前記入力手段に対して所定の情報が入力された時点で、前記データ選択手段の選択したデータが画像データを含まないデータであるか否かを判断し、前記制御手段は、前記入力手段に対して所定の情報の入力がなされた回数に応じて、段階的に、前記再生手段に対して、画像を再生する際の輝度を低下させる制御を実行することを特徴とする。
【０００８】
本発明の他の局面に従ったデータ再生装置は、記録媒体に記録されたデータに基づいた画像および音声を再生するためのデータ再生装置であって、外部から情報を入力するための入力手段と、前記記録媒体に記録されたデータの中から、再生するデータを選択するデータ選択手段と、前記データ選択手段に選択されたデータの拡張子に基づいて、前記データ選択手段に選択されたデータが、画像データを含まないデータであるか否かを判断する判断手段と、前記データ選択手段に選択されたデータに基づいた画像を再生する再生手段と、前記再生手段に対して画像を再生する際の輝度を制御可能な制御手段と、前記入力手段に前記所定の情報が入力されたか否かに関する情報と、前記再生手段において画像を再生する際の輝度を低下させる程度についての情報である程度情報とを記憶可能な記憶手段とを備え、前記判断手段は、前記データ選択手段が再生するデータを選択したことに応じて、前記データ選択手段の選択したデータが画像データを含まないデータであるか否かを判断し、前記制御手段は、前記入力手段に対して所定の情報が入力された場合であって、前記判断手段によって前記データ選択手段の選択したデータが画像データを含まないデータであると判断された場合には、前記再生手段に対して、前記判断手段によって前記データ選択手段の選択したデータが画像データを含むデータであると判断された場合よりも、画像を再生する際の輝度を前記程度情報に基づいた程度だけ低下させることを特徴とする。
【０００９】
本発明のさらに他の局面に従ったデータ再生装置は、記録媒体に記録されたデータに基づいた画像および音声を再生するためのデータ再生装置であって、外部から情報を入力するための入力手段と、前記記録媒体に記録されたデータの中から、再生するデータを選択するデータ選択手段と、前記データ選択手段に選択されたデータの拡張子に基づいて、前記データ選択手段に選択されたデータが、画像データを含まないデータであるか否かを判断する判断手段と、前記データ選択手段に選択されたデータに基づいた画像を再生する再生手段と、前記再生手段に対して画像を再生するための制御が可能な制御手段とを備え、前記制御手段は、前記入力手段に対して所定の情報が入力された場合であって、前記判断手段によって前記データ選択手段の選択したデータが画像データを含まないデータであると判断された場合には、前記再生手段に対して、画像の出力を停止させる制御を実行することを特徴とする。
【００１０】
本発明の別の局面に従ったデータ再生装置は、記録媒体に記録されたデータに基づいた画像および音声を再生するためのデータ再生装置であって、外部から情報を入力するための入力手段と、前記記録媒体に記録されたデータの中から、再生するデータを選択するデータ選択手段と、前記データ選択手段に選択されたデータが、画像データを含まないデータであるか否かを判断する判断手段と、前記データ選択手段に選択されたデータに基づいた画像を再生する装置に対して画像を再生する際の輝度を制御可能な制御手段とを備え、前記制御手段は、前記入力手段に対して所定の情報が入力された場合であって、前記判断手段によって前記データ選択手段の選択したデータが画像データを含まないデータであると判断された場合には、前記画像を再生する装置に対して、前記判断手段によって前記データ選択手段の選択したデータが画像データを含むデータであると判断された場合よりも、画像を再生する際の輝度を低下させる制御を実行することを特徴とする。
【００１１】
また、本発明に従ったデータ再生装置では、前記判断手段は、前記データ選択手段に選択されたデータの拡張子に基づいて、画像を含まないデータであるか否かを判断することが好ましい。
【００１２】
また、本発明に従ったデータ再生装置は、前記画像を再生する装置をさらに備えることが好ましい。
【００１３】
また、本発明に従ったデータ再生装置では、前記判断手段は、前記入力手段に対して所定の情報が入力された時点で、前記データ選択手段の選択したデータが画像データを含まないデータであるか否かを判断することが好ましい。
【００１４】
また、本発明に従ったデータ再生装置では、前記制御手段は、前記入力手段に対して所定の情報の入力がなされた回数に応じて、段階的に、前記画像を再生する装置に対して、画像を再生する際の輝度を低下させる制御を実行することが好ましい。
【００１５】
また、本発明に従ったデータ再生装置は、前記入力手段に前記所定の情報が入力されたか否かに関する情報を記憶可能な記憶手段をさらに備え、前記判断手段は、前記データ選択手段が再生するデータを選択したことに応じて、前記データ選択手段の選択したデータが画像データを含まないデータであるか否かを判断し、前記制御手段は、前記判断手段が前記データ選択手段の選択したデータを画像データを含まないデータであると判断した場合、前記記憶手段に記憶された情報を参照することにより、前記画像を再生する装置に対して画像を再生する際の輝度を低下させるか否かを決定することが好ましい。
【００１６】
また、本発明に従ったデータ再生装置では、前記記憶手段は、前記入力手段に前記所定の情報が入力されたという情報と、前記画像を再生する装置において画像を再生する際の輝度を低下させる程度についての情報である程度情報とを記憶し、前記制御手段は、前記判断手段が前記データ選択手段の選択したデータを画像データを含まないデータであると判断した場合、前記画像を再生する装置に対して画像を再生する際の輝度を前記程度情報に基づいた程度だけ低下させることが好ましい。
【００１７】
本発明のさらに別の局面に従ったデータ再生装置は、記録媒体に記録されたデータに基づいた画像および音声を再生するためのデータ再生装置であって、外部から情報を入力するための入力手段と、前記記録媒体に記録されたデータの中から、再生するデータを選択するデータ選択手段と、前記データ選択手段に選択されたデータが、画像データを含まないデータであるか否かを判断する判断手段と、前記データ選択手段に選択されたデータに基づいた画像を再生する装置に対して画像を再生するための制御が可能な制御手段とを備え、前記制御手段は、前記入力手段に対して所定の情報が入力された場合であって、前記判断手段によって前記データ選択手段の選択したデータが画像データを含まないデータであると判断された場合には、前記画像を再生する装置に対して、画像の出力を停止させる制御を実行することを特徴とする。
【００１８】
また、本発明に従ったデータ再生装置では、前記判断手段は、前記データ選択手段に選択されたデータの拡張子に基づいて、画像を含まないデータであるか否かを判断することが好ましい。
【００１９】
また、本発明に従ったデータ再生装置は、前記画像を再生する装置をさらに備えることが好ましい。
【００２０】
本発明のある局面に従ったデータ再生装置の制御方法は、記録媒体に記録されたデータに基づいた画像および音声を再生するためのデータ再生装置の制御方法であって、外部から情報を入力するステップと、前記記録媒体に記録されたデータの中から、再生するデータを選択するステップと、前記再生するデータとして選択されたデータが、画像データを含まないデータであるか否かを判断するステップと、外部から所定の情報が入力された場合であって、前記再生するデータとして選択されたデータが画像データを含まないデータであると判断された場合には、画像を再生する装置に対して、前記再生するデータとして選択されたデータが画像データを含むデータであると判断された場合よりも、画像を再生する際の輝度を低下させる制御を実行するステップとを備えることを特徴とする。
【００２１】
本発明の他の局面に従ったデータ再生装置の制御方法は、記録媒体に記録されたデータに基づいた画像および音声を再生するためのデータ再生装置の制御方法であって、外部から情報を入力するステップと、前記記録媒体に記録されたデータの中から、再生するデータを選択するステップと、前記再生するデータとして選択されたデータが、画像データを含まないデータであるか否かを判断するステップと、外部から所定の情報が入力された場合であって、前記再生するデータとして選択されたデータが画像データを含まないデータであると判断された場合には、画像を再生する装置に対して、画像の出力を停止させる制御を実行するステップとを備えることを特徴とする。
【発明の効果】
【００２２】
本発明では、データ再生装置において、記録媒体に記録された或るデータの再生がなされる際に、当該データが画像データを含まない場合であって、外部から、所定の情報が入力された場合には、画像データを含むデータの再生が行なわれる場合よりも、画像を再生する装置または手段に対して、輝度を低下させる制御が実行される。
【００２３】
これにより、データ再生装置において音楽ＣＤが再生される場合のような、一般的に、画像出力がユーザに重要視されないと考えられる場合に、ユーザからの指示に基づいて、画像を再生する装置または手段における輝度が低下されるようになる。
【００２４】
したがって、本発明によると、データ再生装置は、ユーザが所望する場合に、モニタの焼付けを抑制し、かつ、モニタの消費電力を抑えることができるようになる。
【００２５】
また、本発明によると、再生されるデータが画像データを含まないデータであるか否かが、当該再生されるデータの拡張子に基づいて、判断される。これにより、データ再生装置における当該判断が容易になる。
【００２６】
また、本発明によると、データ再生装置は、画像を再生させる装置または手段と一体的に構成されることになる。つまり、画像を再生させる装置または手段に対する電源のオン／オフの切替えが、データ再生装置に対する電源のオン／オフに従ったものとなり、データ再生装置自体の電源がオンされている場合には、画像を再生させる装置または手段に対しても電源がオンされていることになる。このようなタイプのデータ再生装置に対しては、音楽ＣＤが再生される場合のような、一般的に、画像出力がユーザに重要視されない場合であっても、画像を再生させる装置または手段のみの画像出力を調整することが困難であったため、特に、本発明は有益であると考えられる。
【００２７】
また、本発明によると、データ再生装置において、再生されるデータが画像データを含まないデータであるか否かの判断が、入力手段に対して所定の情報が入力された時点で行なわれる。これにより、データ再生装置において、入力手段に対してユーザが所定の情報を入力するための操作を行なえば、そのタイミングに応じて、画像を再生させる装置または手段において輝度を低下するための制御がなされることになるため、よりユーザの意思に従った制御が可能となる。
【００２８】
また、本発明によると、データ再生装置において、所定の情報が入力された回数に応じて、段階的に、画像を再生させる装置または手段において輝度を低下させることができる。これにより、よりユーザの意思に従った制御が可能となる。
【００２９】
また、本発明によると、データ再生装置において、予め所定の情報、および、輝度を低下させる程度についての情報を入力しておくことにより、画像データを含まないデータが再生される際には、自動的に、画像を再生させる装置または手段において輝度が低下される制御を実行させることができる。
【００３０】
また、本発明では、データ再生装置において、記録媒体に記録された或るデータの再生がなされる際に、当該データが画像データを含まない場合であって、外部から、所定の情報が入力された場合には、画像データを含むデータの再生が行なわれる場合よりも、画像を再生する装置または手段に対して、画像の出力を停止させる制御が実行される。
【００３１】
これにより、データ再生装置において音楽ＣＤが再生される場合のような、一般的に、画像出力がユーザに重要視されないと考えられる場合に、ユーザからの指示に基づいて、画像を再生する装置または手段における画像の出力が停止されるようになる。
【００３２】
したがって、本発明によると、データ再生装置は、ユーザが所望する場合に、モニタの焼付けを抑制し、かつ、モニタの消費電力を抑えることができるようになる。
【００３３】
そして、本発明によると、データ再生装置は、画像を再生させる装置または手段と一体的に構成されることになる。つまり、画像を再生させる装置または手段に対する電源のオン／オフの切替えが、データ再生装置に対する電源のオン／オフに従ったものとなり、データ再生装置自体の電源がオンされている場合には、画像を再生させる装置または手段に対しても電源がオンされていることになる。このようなタイプのデータ再生装置に対しては、音楽ＣＤが再生される場合のような、一般的に、画像出力がユーザに重要視されない場合であっても、画像を再生させる装置または手段のみの画像出力のオン／オフを調整することが困難であったため、特に、本発明は有益であると考えられる。
【発明を実施するための最良の形態】
【００３４】
以下、本発明に従ったデータ再生装置について、図面を参照して説明する。
【００３５】
［第１の実施の形態］
図１は、本発明の第１の実施の形態である記録メディア再生装置の制御ブロック図である。
【００３６】
図１の記録メディア再生装置１は、複数種類のデジタル記録メディア再生装置を内蔵し、記録メディアから再生されたコンテンツなど供給される各種コンテンツを、装置外部に予め接続されたモニタ装置１２に画像信号および／または音声信号として視聴可能なように出力する装置である。
【００３７】
記録メディア再生装置１は、ＤＶＤ装置２と、図示されないハードディスクを内蔵し、該ハードディスクにデジタル情報を記録するとともに該ハードディスクからデジタル情報のコンテンツを再生するためのＨＤ（Hard Disk）装置３と、放送局から送信されるデジタル放送信号ＤＳを受信する外部のアンテナ１３を接続するチューナ４と、ＯＳＤ（On Screen Display)５１を内蔵するデコーダ５と、メモリ６と、映像出力部７と、音声出力部８と、リモコン（リモートコントローラの略）受信部９と、制御部１０と、リモコン１１と、外部からデジタル情報を供給するための外部装置１５を接続する外部Ｉ／Ｆ（Inter Face）１４とを備える。
【００３８】
ＤＶＤ再生装置２は、ＤＶＤやＣＤ等の、光ディスクに記録されたデジタルコンテンツの信号を読出す装置である。ＨＤ装置３は、ユーザ所望のデジタルコンテンツの信号をハードディスクに記録し、その記録したデジタルコンテンツの信号を読出す装置である。ここで、ハードディスクに記録される信号としては、たとえば、ＭＰＥＧ２（Motion Picture Experts Group 2）規格に準拠するマルチメディアファイルや、ＭＰ３（MPEG-1 Audio Layer3）規格に準拠する音声ファイルなどが挙げられる。
【００３９】
チューナ４は、アンテナ１３を介して放送局から発信されるデジタル放送信号ＤＳを入力すると、制御部１０により指定されるチャンネルの放送信号（デジタルコンテンツの信号）を抽出して出力する。
【００４０】
デコーダ５は、ＤＶＤ再生装置２により再生されたデジタルコンテンツの信号、ＨＤ装置３がハードディスクから読出したデジタルコンテンツの信号、チューナ４が受信したデジタルコンテンツの信号、および、外部Ｉ／Ｆ１４を介して外部装置１５から入力したデジタルコンテンツの信号のうちのいずれかが制御部１０の切換制御により与えられると、与えられたそのデジタル信号の入力を受付け、さらに、当該デジタル信号を復号（デコード）して出力する。デコーダ５が内蔵するＯＳＤ５１は、制御部１０により与えられた情報に基づいて画像データを生成し、それをモニタ装置１２の画面に可視表示するために映像出力部７に対して出力する。
【００４１】
メモリ６には、制御部１０の動作プログラム、および、制御部１０が動作プログラムを実行する際に利用されるパラメータ等の、種々の情報が格納される。
【００４２】
音声出力部８は、デコーダ５が復号した音声信号をモニタ装置１２が出力可能な音声信号に変換してモニタ装置１２に対して出力する。
【００４３】
リモコン受信部９は、赤外線を介してリモコン１１から発信される各種の指令信号を受信し、その指令信号を制御部１０に伝送する。
【００４４】
制御部１０は、メモリ６に格納された動作プログラムに基づいて、記録メディア再生装置１の各部の制御を行なう。また、制御部１０は、モニタ装置１２に対して、直接的に、制御動作を実行することも可能とされている。
【００４５】
リモコン１１は、ユーザが各種の指令を入力するために操作される装置であり、該指令に対応する赤外線信号を発信する。
【００４６】
次に、ＤＶＤ再生装置２またはＨＤ装置３において、ユーザの所望するデジタルコンテンツの信号を再生させる際に制御部１０が実行する処理である、再生処理について、そのフローチャートである図２を参照して説明する。なお、当該再生処理は、リモコン１１において再生キーが操作される等して、リモコン受信部９が、コンテンツの再生を指令する信号を受信したことを条件として、実行される。
【００４７】
コンテンツの再生を指令する信号を受信すると、制御部１０は、まず、ステップＳ１（以下、「ステップ」を省略する）で、当該信号によって指定されるコンテンツのデータを再生する。
【００４８】
次に、Ｓ２で、制御部１０は、リモコン１１において、上記した再生キーが５秒間連続して操作（押圧）されたか否かを判断する。具体的には、そのような操作に基づいた送信される信号を、リモコン受信部９が受信したか否かを判断する。そして、制御部１０は、リモコン１１においてそのような操作がなされたと判断するとＳ３に、なされていないと判断するとＳ６に、それぞれ処理を進める。
【００４９】
Ｓ３では、制御部１０は、再生中のコンテンツデータを構成するファイルの拡張子をチェックし、Ｓ４に処理を進める。
【００５０】
Ｓ４では、制御部１０は、Ｓ３でチェックしたファイルの拡張子が、画像出力の無いファイルの拡張子であるか否かを判断する。具体的には、予めメモリ６において画像出力の無いファイルの拡張子の一覧が記憶されており、制御部１０は、Ｓ３でチェックしたファイルの拡張子が、メモリ６に記憶されている拡張子の一覧の中に存在するいずれかと一致するか否かを判断する。なお、拡張子の一覧として記憶される拡張子とは、たとえば、「mp3」（ＭＰ３に対応）や「WMA」（Microsoft（登録商標）社の音声圧縮フォーマットに対応）を挙げることができる。そして、制御部１０は、Ｓ３でチェックしたファイルの拡張子が画像出力の無いファイルの拡張子であると判断すると、Ｓ５に処理を進め、そうではないと判断すると、Ｓ６に処理を進める。
【００５１】
Ｓ５では、制御部１０は、モニタ装置１２に対して、画像出力における輝度を低下させる旨の信号を出力し、Ｓ６に処理を進める。ここで、輝度を低下させる程度とは、たとえば、５０％程度低下させることとすることができるが、この数値に限定されるものではない。
【００５２】
Ｓ６では、制御部１０は、コンテンツデータの再生を終了させる指示がなされたか否かを判断する。具体的には、制御部１０は、リモコン１１が操作されることにより、リモコン受信部９が、そのような信号を受信したか否かを判断する。そして、再生を終了させる指示がなされたと判断すると、再生処理を終了させ、そのような指示がなされていないと判断すると、Ｓ７に処理を進める。
【００５３】
Ｓ７では、制御部１０は、何らかの指示が入力されたか否かを判断する。具体的には、制御部１０は、リモコン１１が操作されることにより、リモコン受信部９が、何らかの指示についての情報を受信したか否かを判断する。そして、制御部１０は、何らかの指示が入力されたと判断すると、Ｓ８で、当該指示に対応した処理を実行した後、Ｓ２に処理を戻す。一方、制御部１０は、そのような指示が入力されていないと判断すると、そのままＳ２に処理を戻す。
【００５４】
以上説明した再生処理では、ＤＶＤ再生装置２またはＨＤ装置３を利用したコンテンツデータの再生の際に、リモコン１１において再生キーが５秒連続して操作されるという再生時には通常なされないとされる特別な操作がなされると、再生中のファイルが画像出力の無いファイルである場合には、モニタ装置１２に対して、画像表示の輝度を低下させる制御がなされる。
【００５５】
つまり、本実施の形態では、リモコン１１において、再生キーが５秒連続して操作される際にリモコン受信部９に対して送信される信号が、所定の信号に相当する。そして、本実施の形態では、リモコン受信部９に対して当該所定の信号が入力されたことに応じて、図２のＳ２からＳ３に、処理が進められる。
【００５６】
なお、このような制御の起因となる、上記した「特別な操作」は、再生キーに対する５秒連続した操作に限定されない。たとえば、リモコン１１に、特別な操作を実行するための専用のキーが設けられていても良い。そして、このような場合、リモコン受信部９が、再生キーに対して５秒連続した操作がなされたことに対応する信号を受信することの代わりに、上記の専用のキーが操作されたことに対応する信号を受信することにより、図２のＳ２からＳ３へ処理が進められることになる。
【００５７】
なお、上記した再生処理では、一度、Ｓ５においてモニタ装置１２の輝度を低下する処理が行なわれていれば、それ以降Ｓ５に処理が進められた場合でも、それ以上モニタ装置１２の輝度を低下させるような処理は実行されないようにすることもできるし、逆に、Ｓ５に処理が進められるたびに、予め定められた上限回数だけＳ５に処理が進められるまで、段階的に、モニタ装置１２の輝度を低下されるようにすることもできる。具体的には、再生処理は、たとえば最大３回までＳ５の処理が実行可能に構成され、また、最初にＳ５の処理が実行される際には、モニタ装置１２の画面の輝度を待機時の（または、画像データが再生される際の）５０％まで低下させ、次にＳ５の処理が実行される際には、モニタ装置１２の画面の輝度を待機時の２５％まで低下させ、３回目にＳ５の処理が実行される際には、モニタ装置１２の画面の輝度を待機時の１２．５％まで低下させ、そして、それ以降Ｓ５に処理が進められた場合には、モニタ装置１２の画面の輝度を変更しないように構成することもできる。
【００５８】
さらに、図２を用いて説明した再生処理は、図３に示すように変更することも考えられる。
【００５９】
図３を参照して、変形例では、ＳＡ１〜ＳＡ８までの処理が実行され、ＳＡ５以外の処理は、図２に示されたＳ１〜Ｓ４およびＳ６〜Ｓ８のそれぞれ対応する処理と同じ内容とされる。
【００６０】
ＳＡ５では、制御部１０は、モニタ装置１２に対して、その画像出力を停止する制御を実行する。
【００６１】
つまり、図３に示された変形例では、ＤＶＤ再生装置２またはＨＤ装置３を利用したコンテンツデータの再生の際に、リモコン１１において特別な操作がなされると、再生中のファイルが画像出力の無いファイルである場合には、モニタ装置１２に対して、画像出力回路への電力の供給を停止させる制御がなされる。
【００６２】
また、本実施の形態では、記録メディア再生装置１は、外部装置である画像および音声を出力するモニタ装置１２と接続され、モニタ装置１２に対して制御を行なうよう構成されているが、本発明の実施の形態である記録メディア再生装置１は、モニタ装置１２のような画像および音声を出力する装置を含むように構成されても良い。
【００６３】
また、以上説明した再生処理では、再生中のデータが画像データを含まないデータであるか否かの判断が、データの拡張子に基づいてなされたが、当該判断の態様はこれに限定されない。たとえば、ＤＶＤ再生装置２においてディスクに記録されたデータの再生が行なわれている場合、当該ディスクにおけるデータの構造に基づいて、上記の判断がなされても良い。具体的には、再生中のデータが記憶されるディスクにおいて、データの構造が、ＣＤＤＡ（Compact Disc Digital Audio）等の画像データを含まないデータに対応するものであるか否かを判断することによって、上記の判断がなされても良い。
【００６４】
［第２の実施の形態］
図４は、本発明の第２の実施の形態である記録メディア再生プロジェクタの制御ブロック図である。本実施の形態の記録メディア再生プロジェクタ２０は、基本的に、第１の実施の形態の記録メディア再生装置１と同様の構成を有する。
【００６５】
なお、図４の記録メディア再生プロジェクタ２０は、複数種類のデジタル記録メディア再生装置を内蔵し、記録メディアから再生されたコンテンツなど供給される各種コンテンツを視聴可能に出力するための装置であって、画像信号を内蔵するランプ１６に出力し、音声信号を外部のスピーカ１７に出力する。ランプ１６から出力される光像が、所定のスクリーンに投影されることにより、上記のコンテンツの画像が出力され、また、スピーカ１７により、上記のコンテンツの音声が出力される。
【００６６】
図４の記録メディア再生プロジェクタ２０には、当該記録メディア再生プロジェクタ２０の動作を全体的に制御する制御部１０が備えられている。図５は、当該制御部１０のメインルーチンのフローチャートである。
【００６７】
図５を参照して、制御部１０は、まずＳＢ１で、記録メディア再生プロジェクタ２０に対して各種の設定を行なうための情報が入力されたか否かを判断する。このような情報は、たとえば、リモコン１１に所定の操作がなされることにより、リモコン受信部９に入力される。そして、制御部１０は、当該情報が入力されたと判断すると、ＳＢ２に処理を進め、当該情報が入力されていないと判断すると、ＳＢ３に処理を進める。
【００６８】
ＳＢ２では、制御部１０は、各種の設定に関して、外部からの情報の入力を受付ける設定処理を実行した後、ＳＢ１に処理を戻す。なお、設定処理の具体的な内容については、後述する。
【００６９】
ＳＢ３では、制御部１０は、記録メディア再生プロジェクタ２０に対して、ＤＶＤ再生装置２またはＨＤ装置３を用いたコンテンツの再生を指示するための情報が入力されたか否かを判断する。このような情報は、たとえば、リモコン１１に所定の操作がなされることにより、リモコン受信部９に入力される。そして、制御部１０は、当該情報が入力されたと判断すると、ＳＢ４に処理を進め、当該情報が入力されていないと判断すると、ＳＢ５に処理を進める。
【００７０】
ＳＢ４では、制御部１０は、コンテンツを再生するための処理である再生処理を実行した後、ＳＢ１に処理を戻す。なお、再生処理の具体的な内容については、後述する。
【００７１】
ＳＢ５では、制御部１０は、他に記録メディア再生プロジェクタ２０に対して情報の入力があったか否かを判断し、情報の入力があったと判断するとＳＢ６で入力された情報に応じた処理を実行してＳＢ１に処理を戻し、そのような情報の入力が無いと判断するとそのままＳＢ１に処理を戻す。
【００７２】
図６は、図５の設定処理のサブルーチンのフローチャートである。
【００７３】
図６を参照して、設定処理では、制御部１０は、まずＳＢ２１で、図７に示すような設定画面を表示させ、ＳＢ２２に処理を進める。
【００７４】
図７を参照して、設定画面１６０は、制御部１０が映像出力部７を適宜制御することにより、ランプ１６によって、スクリーンに投影される画面である。設定画面１６０には、表示に関する「ＴＶ  ＡＳＰＥＣＴ」「ＰＡＮＥＬ  ＤＩＳＰＬＡＹ」「ＭＵＳＩＣ  ＢＲＩＧＨＴ」という３つの設定項目が表示され、各項目の左側には、各項目についての現在の設定内容が表示されている。「ＴＶ  ＡＳＰＥＣＴ」とは、画面における横方向と縦方向の表示の比率（画面比率）に関する設定項目であり、「ＰＡＮＥＬ  ＤＩＳＰＬＡＹ」とは、表示に関する基本的な設定項目であり、「ＭＵＳＩＣ  ＢＲＩＧＨＴ」とは、音声データのみから構成されるデータ、つまり、画像データを含まないデータが再生される際のランプ１６がスクリーンに投影する画面の明るさに関する設定項目である。
【００７５】
なお、本実施の形態では、画像データを含まないデータが再生される際に、ランプ１６がスクリーンに投影する画面の明るさは、ＬＥＶＥＬ１〜ＬＥＶＥＬ５までの、５段階で、設定が可能とされる。具体的には、たとえば、画像データを含むデータが再生される際にランプ１６がスクリーンに投影する画面の明るさを１００％とすると、ＬＥＶＥＬ５で１００％、ＬＥＶＥＬ４で７０％、ＬＥＶＥＬ３で５０％、ＬＥＶＥＬ２で２５％、ＬＥＶＥＬ１で０％とされる。
【００７６】
再度図６を参照して、ＳＢ２２では、制御部１０は、設定処理を終了するための情報がリモコン受信部９を介して入力されたか否かを判断し、そのような情報が入力されたと判断するとリターンし、そのような情報は入力されていないと判断するとＳＢ２３に処理を進める。
【００７７】
ＳＢ２３では、制御部１０は、上記した画面比率の設定値を入力するための情報がリモコン受信部９を介して入力されたか否かを判断し、そのような情報が入力されたと判断すると、ＳＢ２４で、画面比率の設定値の入力を受付け、さらに、入力された設定値をメモリ６に記憶させて、ＳＢ２１に処理を戻す。一方、制御部１０は、画面比率の設定値を入力するための情報は入力されていないと判断すると、ＳＢ２５に処理を進める。
【００７８】
ＳＢ２５では、制御部１０は、上記した表示に関する基本的な設定についての条件を入力するための情報がリモコン受信部９を介して入力されたか否かを判断し、そのような情報が入力されたと判断すると、ＳＢ２６で、表示に関する基本的な設定についての条件の入力を受付け、さらに、入力された条件をメモリ６に記憶させて、ＳＢ２１に処理を戻す。一方、制御部１０は、上記した表示に関する基本的な設定についての条件を入力するための情報は入力されていないと判断すると、ＳＢ２７に処理を進める。
【００７９】
ＳＢ２７では、制御部１０は、上記した、画像データを含まないデータが再生される際のランプ１６がスクリーンに投影する画面の明るさに関する設定を行なうための情報がリモコン受信部９を介して入力されたか否かを判断し、そのような情報が入力されたと判断すると、ＳＢ２８で、画面の明るさに関する設定の入力を受付け、さらに、入力された設定値（ＬＥＶＥＬ１〜ＬＥＶＥＬ５のいずれか）をメモリ６に記憶させて、ＳＢ２１に処理を戻す。一方、制御部１０は、そのような設定を行なうための情報は入力されていないと判断すると、そのまま、ＳＢ２１に処理を戻す。
【００８０】
図８は、図５の再生処理のサブルーチンのフローチャートである。
【００８１】
図８を参照して、再生処理では、制御部１０は、まずＳＢ４１で、再生するファイルの拡張子をチェックし、ＳＢ４２に処理を進める。なお、再生の対象となるファイルを指定する情報は、ＳＢ３で入力されたと判断された、コンテンツの再生を指示するための情報に含まれているものとする。
【００８２】
ＳＢ４２では、制御部１０は、ＳＢ４１でチェックしたファイルの拡張子が、画像出力の無いファイルの拡張子であるか否かを判断する。具体的には、予めメモリ６において画像出力の無いファイルの拡張子の一覧が記憶されており、制御部１０は、ＳＢ４１でチェックしたファイルの拡張子が、メモリ６に記憶されている拡張子の一覧の中に存在するいずれかと一致するか否かを判断する。そして、制御部１０は、ＳＢ４１でチェックしたファイルの拡張子が画像出力の無いファイルの拡張子であると判断すると、ＳＢ４３に処理を進め、そうではないと判断すると、ＳＢ４４に処理を進める。
【００８３】
ＳＢ４３では、制御部１０は、ランプ１６の輝度を、ＳＢ２８で設定されメモリ６で記憶されている明るさの設定に対応するものとした後、ＳＢ４４に処理を進める。なお、ＳＢ２８で設定した明るさに対応する輝度とは、予め、メモリ６に関連付けられたものとする。また、ＳＢ２８で設定できる明るさの中で、ＬＥＶＥＬ１は、ランプ１６に、何も投影させないことを意味する。このことから、上記の明るさがＬＥＶＥＬ１に設定されている場合には、制御部１０は、ランプ１６への電力の供給をカットする。
【００８４】
ＳＢ４４では、制御部１０は、コンテンツデータのを再生させ、ＳＢ４５に処理を進める。つまり、本実施の形態では、画像データを含まないデータの再生の際には、まず、ランプ１６に対して輝度の調整がなされた後、コンテンツデータの再生がなされる。
【００８５】
ＳＢ４５では、制御部１０は、コンテンツデータの再生を終了させる情報が、リモコン受信部９を介して入力されたか否かを判断し、そのような情報が入力されたと判断すると、ＳＢ４８で、コンテンツデータの再生を終了させた後、リターンする。一方、そのような情報は入力されていないと判断すると、ＳＢ４６に処理を進める。
【００８６】
ＳＢ４６では、制御部１０は、リモコン受信部９に何らかの情報が入力されたか否かを判断する。そして、何らかの情報が入力されたと判断すると、ＳＢ４７で入力された情報に応じた処理を実行した後、ＳＢ４４に処理を戻す。一方、情報の入力は無いと判断すると、制御部１０は、そのままＳＢ４４に処理を戻す。
【００８７】
以上説明した本実施の形態では、記録メディア再生プロジェクタ２０において、画像データを含まないデータが再生される際のランプ１６の投影される画面の明るさが、ユーザによって、ＬＥＶＥＬ１〜ＬＥＶＥＬ５のいずれかとして設定され、さらに、設定された内容がメモリ６に記憶される。これにより、記録メディア再生プロジェクタ２０において、画像データを含まないデータが再生される際には、ランプ１６の輝度が、設定された明るさ（ＬＥＶＥＬ１〜ＬＥＶＥＬ５のいずれか）に対応されたものとされる。さらに、当該明るさがＬＥＶＥＬ１に設定されている場合には、ランプ１６への電力の供給がカットされるため、無駄にランプ１６に電力が供給されることを回避でき、これにより、ランプ１６の寿命を長くすることができる。
【００８８】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。なお、上記された実施の形態は、可能な限り、単独でも、組合わされても、実現が可能なものであると考えられる。
【図面の簡単な説明】
【００８９】
【図１】本発明の第１の実施の形態である記録メディア再生装置の制御ブロック図である。
【図２】図１の制御部が実行する再生処理のフローチャートである。
【図３】図２の再生処理の変形例のフローチャートである。
【図４】本発明の第２の実施の形態である記録メディア再生プロジェクタの制御ブロック図である。
【図５】図４の制御部が実行するメインルーチンのフローチャートである。
【図６】図５の設定処理のサブルーチンのフローチャートである。
【図７】図６の処理でスクリーンに表示される設定画面の一例を示す図である。
【図８】図５の再生処理のサブルーチンのフローチャートである。
【符号の説明】
【００９０】
１  記録メディア再生装置、２  ＤＶＤ装置、３  ＨＤ装置、４  チューナ、５  デコーダ、６  メモリ、７  映像出力部、８  音声出力部、９  リモコン受信部、１０  制御部、１１  リモコン、１２  モニタ装置、１３  アンテナ、１６  ランプ、１７  スピーカ、２０  記録メディア再生プロジェクタ、１６０  設定画面。
【図１】
2006005562.tif 000003
【図２】
2006005562.tif 000004
【図３】
2006005562.tif 000005
【図４】
2006005562.tif 000006
【図５】
2006005562.tif 000007
【図６】
2006005562.tif 000008
【図７】
2006005562.tif 000009
【図８】
2006005562.tif 000010